(57)【要約】  本発明は、プラネタリギヤキャリヤ（４）が、第２のウェブプレート（７）を介して、隣接する切換え要素（３）のトルク伝達部（８）に回転不能に結合されていることを特徴とする、軸方向に固定可能なプラネタリギヤボルト（６）を収容するための穴（４ｄ，７ａ）をそれぞれ備えた第１と第２のウェブプレート（４ｂ，７）を有する、プラネタリギヤ（５）を収容するプラネタリギヤキャリヤ（４）から成るプラネタリギヤセット（２）に関して、プラネタリギヤキャリヤ（４）を、第２のウェブプレート（７）を介して、隣接する切換え要素（３）のトルク伝達部（８）に回転不能に結合することを提案する。
2009528489.tif 000002
【特許請求の範囲】
【請求項１】
軸方向に固定可能なプラネタリギヤボルト（６）を収容するための穴（４ｄ，７ａ）をそれぞれ備えた第１と第２のウェブプレート（４ｂ，７）を有する、プラネタリギヤ（５）を収容するプラネタリギヤキャリヤ（４）から成るプラネタリギヤセットにおいて、
プラネタリギヤキャリヤ（４）が、第２のウェブプレート（７）を介して、隣接する切替え要素（３）のトルク伝達部（８）に回転不能に結合されていることを特徴とするプラネタリギヤセット。
【請求項２】
トルク伝達部が、ディスクキャリヤ（８）として、特にアウタディスクキャリヤとして、形成されていることを特徴とする請求項１に記載のプラネタリギヤセット。
【請求項３】
第１及び／又は第２のウェブプレート（４ｂ，７）に、プラネタリギヤボルト（２２，２４）の軸方向の固定をするための固定手段（７ｃ，２３；２５，２６）が設けられていることを特徴とする請求項１又は２に記載のプラネタリギヤセット。
【請求項４】
第２のウェブプレート（７）が、プラネタリギヤボルト（２２）用の軸方向のストッパとして段付き穴（７ｃ）を備えることを特徴とする請求項３に記載のプラネタリギヤセット。
【請求項５】
第１のウェブプレート（４ｂ）に、軸方向の固定をするための固定リング（２３）が配設されていることを特徴とする請求項３又は４に記載のプラネタリギヤセット。
【請求項６】
プラネタリギヤボルト（２４）が、その端面側の外周をコーキング（２５，２６）によって第１と第２のウェブプレート（４ｂ，７）内に固定されていることを特徴とする請求項３に記載のプラネタリギヤセット。
【請求項７】
第２のウェブプレート（７）に、圧力室（１２）を構成するためのリングピストン（１１）と協働するリングシリンダ（９）が回転不能に結合されていることを特徴とする請求項１〜６のいずれか１つに記載のプラネタリギヤセット。
【請求項８】
圧力室（１２）に、貫通穴（１３）と通路（１４）を介して圧力油が供給可能であることを特徴とする請求項７に記載のプラネタリギヤセット。
【請求項９】
隣接する切替え要素（３）がディスクセット（３ａ）を備え、リングピストン（１１）が外側の圧力リング（１１ａ）を備えること、隣接するディスクセット（３ａ）が、この圧力リング（１１ａ）によって軸方向に負荷可能であることを特徴とする請求項７又は８に記載のプラネタリギヤセット。
【請求項１０】
リングシリンダ（９）が、プラネタリギヤボルト（６，２０）用の軸方向のストッパを構成することを特徴とする請求項７〜９のいずれか１つに記載のプラネタリギヤセット。
【請求項１１】
プラネタリギヤボルト（６）が、リングシリンダ（９）とは反対側を、固定リング（１９）によってプラネタリギヤキャリヤ（４）内で軸方向に固定されていることを特徴とする請求項１０に記載のプラネタリギヤセット。
【請求項１２】
プラネタリギヤボルト（２０）が、リングシリンダ（９）側を、固定リング（２１）によって第２のウェブプレート（７）内で軸方向に固定可能であることを特徴とする請求項１０に記載のプラネタリギヤセット。
【請求項１３】
リングシリンダ（９）が、第２のウェブプレート（７）にリベット継手（１０）によって固定されていることを特徴とする請求項７〜１２のいずれか１つに記載のプラネタリギヤユニット。
【請求項１４】
リングシリンダ（９）が、潤滑油チャンバ（１８）を構成するためのリング状の湾曲部（９ｄ）を有するシリンダ底（９ｃ）を備えることを特徴とする請求項７〜１３のいずれか１つに記載のプラネタリギヤセット。
【請求項１５】
潤滑油チャンバ（１８）の出力側が、プラネタリギヤ（５）の軸受（５ａ）と連絡していることを特徴とする請求項１４に記載のプラネタリギヤセット。
【請求項１６】
潤滑油チャンバ（１８）の入力側が、半径方向内側に配設された潤滑油供給部と連絡していることを特徴とする請求項１４又は１５に記載のプラネタリギヤセット。
【請求項１７】
リングシリンダ（９）が、リングピストン（１１）の背面と共に圧力補償チャンバ（１６）を構成する、半径方向内側の、延長されたシリンダ壁（９ａ）を備えることを特徴とする請求項７〜１６のいずれか１つに記載のプラネタリギヤセット。
【請求項１８】
延長されたシリンダ壁（９ａ）が、圧力補償チャンバ（１６）に潤滑油を（無圧で）供給可能にする通し穴（９ｂ）を備えることを特徴とする請求項１７に記載のプラネタリギヤセット。
【発明の詳細な説明】
【技術分野】
【０００１】
本発明は、特許文献１によって公知である、請求項１の上位概念に記載のプラネタリギヤセットに関する。
【背景技術】
【０００２】
公知のプラネタリギヤセットは、プラネタリギヤボルトを介してプラネタリギヤキャリヤ内に支承された、周囲にわたって分配配置された複数のプラネタリギヤを収容するプラネタリギヤキャリヤから成る。このため、プラネタリギヤキャリヤは、プラネタリギヤボルトを収容するための同じ高さの穴が配設された、互いに平行な２つの壁、即ち第１と第２のウェブプレート、を備える。プラネタリギヤボルトは、軸方向にプラネタリギヤキャリヤ内に固定されており、一方では軸方向のストッパを有する段付き穴が、他方では固定リングが、ウェブプレートに設けられている。プラネタリギヤは、歯を備え、図示されてない別のギヤホイールと、サンギヤと、リングギヤと、結合されている。プラネタリギヤは、転がり軸受又は滑り軸受を介してプラネタリギヤボルトに支承されており、支承箇所は、潤滑しなければならない。このため、プラネタリギヤボルト内には、外側から作業可能な軸方向穴が設けられており、その入口にオイル捕集プレートが付設されている。
【０００３】
特許文献２によって、軸方向に隣接した切替え要素と、ディスククラッチとを有するプラネタリギヤセットが公知である。プラネタリギヤセットは、ここでも同様に、内側のサンギヤと外側のリングギヤに噛み合ったプラネタリギヤを収容したプラネタリギヤキャリヤから成る。プラネタリギヤは、プラネタリギヤボルトを介してプラネタリギヤキャリヤのウェブプレート内に支承されており、ウェブプレートは、隣接する切替え要素のアウタディスクキャリヤに結合されている。アウタディスクキャリヤは、同時にクラッチシリンダとして形成されており、このクラッチシリンダ内に、クラッチピストンが摺動可能に配設され、クラッチシリンダと共に、ディスクセットのプラネタリギヤセットとは反対側に存在する圧力室を構成する。
【特許文献１】欧州特許第０  ２７４  ８７４号明細書
【特許文献２】欧州特許出願公開第０  ８５１  １４９号明細書
【発明の開示】
【発明が解決しようとする課題】
【０００４】
本発明の課題は、省スペース、簡単及び安価な方法で、冒頭で述べた方式のプラネタリギヤセットを隣接する切替え要素に接続することにある。
【課題を解決するための手段】
【０００５】
この課題は、先ず、請求項１の特徴によって解決される。この場合、本発明によれば、プラネタリギヤキャリヤのウェブプレートが、隣接する切替え要素のトルク伝達部に回転不能に結合されており、この場合、トルク伝達部は、ディスククラッチのディスクキャリヤである。プラネタリギヤキャリヤのウェブプレートと、ディスクキャリヤ、特にアウタディスクキャリヤ、は、好ましいことに、一体的に形成すること、即ち１つの部品に統合すること、ができる。これにより、プラネタリギヤセットと、隣接する切替え要素の連結においてコンパクトな構造の利点が得られる。
【０００６】
プラネタリギヤボルトの軸方向の固定をするために、ウェブプレートに、固定リング及び段付き穴の形の固定手段が設けられている。選択的に、プラネタリギヤボルトは、コーキングによってウェブプレートに固定することができる。
【０００７】
本発明の別の有利な形成によれば、ディスクキャリヤを支持するウェブプレートに、リングシリンダが回転不能に結合されており、リベット継手によって結合されるのが好ましい。リングシリンダ自身が、軸方向に摺動するリングピストンを備え、このリングピストンが、リングシリンダと共に、切替え要素を操作するため、即ち軸力をディスクセットに加えるため、に通路システムを介して圧力油が供給される圧力室を構成する。このため、本発明の別の有利な形成では、ピストンに、ディスクセットに相当する直径を備える外側の圧力リングが配設されている。リングシリンダは、その底が同時にプラネタリギヤボルト用の軸方向のストッパとして使用可能あるので、もう１つの、反対方向用の別の軸方向のストッパしか必要ないという利点を有する。これは、有利なことに、プラネタリギヤキャリヤの第１又は第２のウェブプレート内の固定リングによって行なうことができる。
【０００８】
本発明の別の有利な形成では、リングシリンダの底が、軸方向に整向された湾曲部を備え、これにより、潤滑油チャンバを構成し、この潤滑油チャンバの半径方向内側に位置する入力側が、潤滑油供給システムと連絡し、この潤滑油チャンバの半径方向外側に位置する出力側が、プラネタリギヤボルトの軸方向穴と連絡し、そこから、潤滑油が、半径方向穴を介してプラネタリギヤの潤滑箇所に導かれる。
【０００９】
本発明の別の有利な形成では、リングシリンダが、ピストンの背面と共に圧力補償チャンバを構成する、半径方向内側に位置する、延長されたシリンダ壁を備える。圧力補償チャンバは、延長されたシリンダ壁内の穴を介して潤滑油を、即ち無圧で、供給されるので、ピストンに対して、動圧の補償が、即ち連結部内の回転数に依存しない圧力上昇が生じる。
【００１０】
従って、リングシリンダは、以下の機能を満足する。即ち、１．プラネタリギヤボルト用のストッパ、２．切替え要素を操作するためのピストンに結合した圧力シリンダ、３．プラネタリギヤの潤滑箇所に潤滑油を供給するための潤滑油チャンバを構成するオイル捕集プレート、４．圧力補償空間の部品、の機能である。
【発明を実施するための最良の形態】
【００１１】
図面に図示した本発明の実施例を以下で詳細に説明する。
【００１２】
図１は、軸方向に切替え要素を隣接させたプラネタリギヤセット２を配設したトランスミッションケース１の一部を示す。これら構成要素２，３は、全体を図示していない自動車用のオートマチックトランスミッションの一部である。プラネタリギヤセット２は、プラネタリギヤキャリヤ４と、プラネタリギヤボルト６を介してプラネタリギヤキャリヤ４に支承されたプラネタリギヤ５から成る。プラネタリギヤボルト６は、滑り又は転がり軸受５を介してボルト６に支承されたプラネタリギヤ５に潤滑油を供給するために使用される軸方向の盲穴６ａと半径方向穴６ｂを備える。短縮してプラネタリキャリヤというプラネタリギヤキャリヤ４は、第１のウェブプレート４ｂと固定アーム４ｃが結合されたハブ４ａを備える（複数の、特にそれぞれ３つのウェブプレートもしくはウェブアームと固定アームが、その周囲に分配して設けられている）。第１のウェブプレート４ｂには、ボルト６を収容するための穴４ｄが配設されている。プラネタリキャリヤ４は、更に、第１のウェブプレート４ｂに対して平行に配設された、固定アーム４ｃに回転不能に結合された第２のウェブプレート７を備える。第２のウェブプレート７は、プラネタリギヤボルト６を収容するための穴７ａを備える。好ましいことに、プラネタリギヤセット２の周囲には、３つのプラネタリギヤ５が、３つのボルト６を介してプラネタリキャリヤ４に支承されており、プラネタリギヤ５は、図面に図示した、符号を備えていない歯車、即ちインナサンギヤ及びアウタサンギヤ（リングギヤ）に係合する。第２のウェブプレート７は、切替え要素３のアウタディスクキャリヤ８に結合されており、この結合は、例えば図示してない溶接又は一体的な形成によって行なわれる。アウタディスクキャリヤ８には、（符号を有しない）インナディスクキャリヤに係合した、交互に配設されたインナディスクを備えるディスクセット３ａのアウタディスクが係合している。第２のウェブプレート７には、底９ｃを有するリングシリンダ９が固定されており、しかも好ましいことに、この固定は、リベット継手１０によって行なわれる。リングピストン１１は、軸方向に摺動するようにリングシリンダ９によって収容され、このリングシリンダと共に圧力室１２を構成する。リングシリンダ９の底９ｃと第２のウェブプレート７には、圧力油通路１４を介して詳細には図示してない固定の圧力油源に接続された貫通穴１３が配設されている。板部品として形成されたリングピストン１１は、ディスクセット３ａの領域に配設された、半径方向外方に延在する圧力リング１１ａを備える。リングシリンダ９は、半径方向内側に位置する延長されたシリンダ壁９ａを備え、このシリンダ壁に、通し穴９ｂが配設されている。リングピストン１１に、シリンダ状の突起１１ｂが固定されており、このシリンダ状の突起内にバッフルプレート１５が配設されており、このバッフルプレートが、シリンダ壁９ａ、ピストン１１の背面、シリンダ状の突起１１ｂと共に圧力補償チャンバ１６を構成し、この圧力補償チャンバ内に、ピストン１１用のリターンスプリングである皿バネ１７が配設されている。バッフルプレート１５は、その一端を、シリンダ壁９ａ内に嵌合するように収容され、これにより、皿バネ１７用の支持部を構成し、バッフルプレート１５の他端は、シリンダ状の突起１１ｂ内に摺動するように配設され、シールされている。圧力補償チャンバ１６は、破線で図示した矢印Ａに応じて潤滑油を、即ち無圧で供給される。シリンダ底９ｃは、リング状の湾曲部９ｄを備え、このリング状の湾曲部が、第２のウェブプレート７と共に周回する潤滑油チャンバ１８を構成する。潤滑油チャンバ１８は、シリンダ底９ｃとウェブプレート７の間の間隙の形の、半径方向内側に位置する接続路を備えるので、潤滑油チャンバは、破線の矢印Ｂに応じて潤滑油を供給可能であり、潤滑油は、このルートで、潤滑油チャンバ１８を介してプラネタリギヤボルト６の穴６ａに達し、半径方向穴６ｂを介してプラネタリギヤ５の軸受５ａに達する。
【００１３】
プラネタリギヤボルト６は、端面でリングシリンダ９の底９ｃに当接し、これにより、一方向をリングシリンダ９によって軸方向に固定されている。プラネタリギヤボルト６のリングシリンダ９とは反対側の端面は、プラネタリキャリヤ４の溝内に配設された固定リング１９によって固定される。従って、プラネタリギヤボルト６は、両方向を軸方向に固定されている。切替え要素３の機能は、基本的に従来技術に相当し、切替え要素３を閉鎖するため、圧力室１２は、通路１４と貫通穴１３を介して圧力油を供給されるので、リングピストン１１は、図面で左に向かって移動され、その外側の圧力リング１１ａでディスクセット３ａを押圧し、これにより、アウタディスクキャリヤ８は、インナディスクキャリヤに摩擦係合で結合される。リングシリンダ９と共に圧力室１２が回転するので、付加的に回転数に依存した動的圧力成分が生じ、この動的圧力成分は、圧力補償チャンバ１６内の油圧によって補償される。
【００１４】
図２は、図１と同じ部分に同じ符号を使用した本発明の別の実施例を示す。若干変更したプラネタリギヤボルト２０を有するプラネタリギヤセット２の上部が図示されており、このプラネタリギヤボルト２０の軸方向の固定は、図１の実施例に対して変更されている。プラネタリギヤボルト２０は、図面の左側に配設されたその端面でリングシリンダ９の底９ｃに当接し、他方で、固定リング２１によってウェブプレート７に相対的に、即ち（図面の）右方向への軸方向の移動しないように、固定されている。このため、ウェブプレート７に段付き穴７ｂが設けられている。固定リング２１は、プラネタリギヤボルト２０の溝内に保持されている。図１とは違って、ウェブプレート４ｂの穴４ｄ内に固定リングとリング溝が内蔵されている。
【００１５】
図３は、更にまた同じ部分に同じ符号を使用した本発明の別の実施例を示す。更にまた両ウェブプレート４ｂ，７の穴に支承されたプラネタリギヤボルト２２を固定するための別のバリエーションが図示されている。第２のウェブプレート７は、段付き穴７ｃを備え、大径（プラネタリギヤボルトの外径）が、プラネタリギヤ５の側に配設されている。従って、図面の左側に配設されたプラネタリギヤボルト２２の端面のために、第２のウェブプレート７に軸方向ストッパが得られる。即ちウェブプレート４ｂとプラネタリキャリヤ４の他方の側に、固定リング２３が挿入され、この固定リングが、プラネタリキャリヤ４の回転軸ａに対して同軸に配設されており、これにより、固定リング２３によって、周囲に配設された全てのプラネタリギヤボルト２２が軸方向に固定される。
【００１６】
図４は、更にまた同じ部分に同じ符号を使用したプラネタリギヤボルト２４の別の軸方向の固定をするための本発明の別の実施例を示す。プラネタリギヤボルト２４は、ウェブプレート４ｂ，７の平滑な貫通穴４ｄ，７ａ内に挿入されており、両端面をコーキングされており、これは、それぞれ点２５，２６によって図示されている。従って、プラネタリギヤボルト２４は、両方向を軸方向に固定されている。
【図面の簡単な説明】
【００１７】
【図１】隣接する切替え要素とプラネタリギヤセットを示す（本発明の第１の実施例）。
【図２】隣接する切替え要素の一部を示す（本発明の第２の実施例）。
【図３】隣接する切替え要素とプラネタリギヤセットを示す（本発明の第３の実施例）。
【図４】隣接する切替え要素とプラネタリギヤセットの一部を示す（本発明の第４の実施例）。
【符号の説明】
【００１８】
１        トランスミッションケース
２        プラネタリギヤセット
３        切替え要素
３ａ      ディスクセット
４        プラネタリギヤキャリヤ
４ａ      ハブ
４ｂ      第１のウェブプレート
４ｃ      固定アーム
４ｄ      穴
５        プラネタリギヤ
５ａ      軸受
５ｂ      歯部
６        プラネタリギヤボルト
６ａ      軸方向の盲穴
６ｂ      半径方向穴
７        第２のウェブプレート
７ａ      穴
７ｂ      段付き穴
７ｃ      段付き穴
８        アウタディスクキャリヤ
９        リングシリンダ
９ａ      シリンダ壁
９ｂ      通し穴
９ｃ      シリンダ底
９ｄ      リング状の湾曲部
１０      リベット継手
１１      リングピストン
１１ａ    圧力リング
１１ｂ    シリンダ状の突起
１２      圧力室
１３      貫通穴
１４      圧力油通路
１５      バッフルプレート
１６      圧力補償チャンバ
１７      皿バネ
１８      潤滑油チャンバ
１９      固定リング
２０      プラネタリギヤボルト
２１      固定リング
２２      プラネタリギヤボルト
２３      固定リング
２４      プラネタリギヤボルト
２５      コーキング
２６      コーキング
【図１】
2009528489.tif 000003
【図２】
2009528489.tif 000004
【図３】
2009528489.tif 000005
【図４】
2009528489.tif 000006
【手続補正書】
【提出日】平成19年5月18日(2007.5.18)
【手続補正１】
【補正対象書類名】特許請求の範囲
【補正対象項目名】全文
【補正方法】変更
【補正の内容】
【特許請求の範囲】
【請求項１】
プラネタリギヤキャリヤ（４）が、第２のウェブプレート（７）を介して、隣接する切替え要素（３）のトルクを伝達するディスクキャリヤ（８）に回転不能に結合されている、軸方向に固定可能なプラネタリギヤボルト（６）を収容するための穴（４ｄ，７ａ）をそれぞれ備えた第１と第２のウェブプレート（４ｂ，７）を有する、プラネタリギヤ（５）を収容するプラネタリギヤキャリヤ（４）から成るプラネタリギヤセットにおいて、
第２のウェブプレート（７）に、ディスクキャリヤ（８）に加えて、トルクを伝達しない、切替え要素（３）に付設された圧力室（１２）を構成するためにリングピストン（１１）と協働するリングシリンダ（９）が回転不能に結合されており、このリングシリンダ（９）が、プラネタリギヤボルト（６）のための軸方向のストッパを構成することを特徴とするプラネタリギヤセット。
【請求項２】
プラネタリギヤキャリヤ（４）が、第２のウェブプレート（７）を介して、隣接する切替え要素（３）のトルクを伝達するディスクキャリヤ（８）に回転不能に結合されている、軸方向に固定可能なプラネタリギヤボルト（２２）を収容するための穴（４ｄ，７ａ）をそれぞれ備えた第１と第２のウェブプレート（４ｂ，７）を有する、プラネタリギヤ（５）を収容するプラネタリギヤキャリヤ（４）から成るプラネタリギヤセットにおいて、
第２のウェブプレート（７）に、ディスクキャリヤ（８）に加えて、トルクを伝達しない、切替え要素（３）に付設された圧力室（１２）を構成するためにリングピストン（１１）と協働するリングシリンダ（９）が回転不能に結合されていること、第２のウェブプレート（７）が、プラネタリギヤボルト（２２）用の軸方向のストッパとして段付き穴（７ｃ）を備えることを特徴とするプラネタリギヤセット。
【請求項３】
リングシリンダ（９）が、潤滑油チャンバ（１８）を構成するためのリング状の湾曲部（９ｄ）を有するシリンダ底（９ｃ）を備え、この潤滑油チャンバの出力側が、プラネタリギヤ（５）の軸受（５ａ）と連絡し、この潤滑油チャンバの入力側が、半径方向内側に配設された潤滑油供給部と連絡していることを特徴とする請求項１又は２に記載のプラネタリギヤセット。
【請求項４】
リングシリンダ（９）が、リングピストン（１１）の背面と共に切替え要素（３）に付設された圧力補償チャンバ（１６）を構成する、半径方向内側の、延長されたシリンダ壁（９ａ）を備えることを特徴とする請求項１〜３のいずれか１つに記載のプラネタリギヤセット。
【請求項５】
リングシリンダ（９）の延長されたシリンダ壁（９ａ）が、圧力補償チャンバ（１６）に潤滑油を供給可能にする通し穴（９ｂ）を備えることを特徴とする請求項４に記載のプラネタリギヤセット。
【請求項６】
プラネタリギヤボルト（２０）のリングシリンダ（９）側が、固定リング（２１）によって第２のウェブプレート（７）内で軸方向に固定可能であることを特徴とする請求項２〜５のいずれか１つに記載のプラネタリギヤセット。
【請求項７】
プラネタリギヤボルト（２４）が、その端面側の外周をコーキング（２５，２６）によって第１と第２のウェブプレート（４ｂ，７）内に固定されていることを特徴とする請求項２〜５のいずれか１つに記載のプラネタリギヤセット。
【請求項８】
プラネタリギヤボルト（６）のリングシリンダ（９）とは反対側が、固定リング（１９）によってプラネタリギヤキャリヤ（４）内で軸方向に固定されていることを特徴とする請求項１〜６のいずれか１つに記載のプラネタリギヤセット。
【請求項９】
リングシリンダ（９）が、第２のウェブプレート（７）にリベット継手（１０）によって固定されていることを特徴とする請求項１〜８のいずれか１つに記載のプラネタリギヤユニット。
【請求項１０】
切替え要素（３）に付設された圧力空間（１２）に、第２のウェブプレート（７）に配設された貫通穴（１３）とプラネタリギヤキャリヤ（４）に配設された通路（１４）を介して圧力油が供給可能であることを特徴とする請求項１〜９のいずれか１つに記載のプラネタリギヤセット。
【請求項１１】
切替え要素（３）がディスクセット（３ａ）を備え、リングピストン（１１）がアウタプレッシャリング（１１ａ）を備え、ディスクセット（３ａ）が、この圧力リング（１１ａ）によって軸方向に負荷可能であることを特徴とする請求項１〜１０のいずれか１つに記載のプラネタリギヤセット。
【国際調査報告】
2009528489.tif 000007
2009528489.tif 000008
2009528489.tif 000009
2009528489.tif 000010
2009528489.tif 000011
2009528489.tif 000012